(57)【特許請求の範囲】
【請求項１】
マルチタスクＯＳを搭載したプロセサを備え、バッファメモリに連続的に取り込まれるコンテンツをレーザ光を用いてディスク記録媒体に間欠的に記録するコンテンツ記録装置において、
前記プロセサは、前記バッファメモリに格納されたコンテンツのデータ量に応じて退避命令を発生する第１タスク、および前記退避命令に応答して前記レーザ光の照射先を現在の光ピックアップの位置に最も近いテストトラックに退避させる第２タスクを並行して実行することを特徴とする、コンテンツ記録装置。
【請求項２】
前記第１タスクは、前記データ量が閾値を上回るとき記録命令を発生する記録命令発生処理、および前記データ量が前記閾値以下のとき前記退避命令を発生する退避命令発生処理を含み、
前記第２タスクは、前記記録命令が発生したとき前記バッファメモリに格納されたコンテンツを前記ディスク記録媒体に記録する記録処理、および前記退避命令が発生したとき前記レーザ光の照射先を退避させる退避処理を含む、請求項１記載のコンテンツ記録装置。
【請求項３】
前記ディスク記録媒体はトラックが形成されたかつ前記レーザ光が照射される記録面を有し、
前記退避命令に関係なく前記レーザ光を出力し続ける発生手段、および前記退避命令に関係なく前記レーザ光のトラッキングを制御するトラッキング制御手段をさらに備える、請求項１または２記載のコンテンツ記録装置。
【請求項４】
マルチタスクＯＳを搭載したプロセサを備え、レーザ光を用いてディスク記録媒体から間欠的に再生されたコンテンツをバッファメモリを介して連続的に出力するコンテンツ再生装置において、
前記プロセサは、前記バッファメモリに格納されたコンテンツのデータ量に応じて退避命令を発生する第１タスク、および前記退避命令に応答して前記レーザ光の照射先を現在の光ピックアップの位置に最も近いテストトラックに退避させる第２タスクを並行して実行することを特徴とする、コンテンツ再生装置。
【請求項５】
前記第１タスクは、前記データ量が閾値を下回るとき再生命令を発生する再生命令発生処理、および前記データ量が前記閾値以上のとき前記退避命令を発生する退避命令発生処理を含み、
前記第２タスクは、前記再生命令が発生したとき前記ディスク記録媒体からコンテンツを再生する再生処理、および前記退避命令が発生したとき前記レーザ光の照射先を退避させる退避処理を含む、請求項４記載のコンテンツ再生装置。
【請求項６】
前記ディスク記録媒体はトラックが形成されたかつ前記レーザ光が照射される記録面を有し、
前記退避命令に関係なく前記レーザ光を出力し続ける発生手段、および前記退避命令に関係なく前記レーザ光のトラッキングを制御するトラッキング制御手段をさらに備える、請求項４または５記載のコンテンツ再生装置。
【発明の詳細な説明】
【０００１】
【産業上の利用分野】
この発明はコンテンツ記録装置およびコンテンツ再生装置に関し、特にたとえばコンテンツをレーザ光を用いてディスク記録媒体に間欠的に記録するコンテンツ記録装置信号およびレーザ光を用いてディスク記録媒体から間欠的に再生されたコンテンツをバッファメモリを介して出力するコンテンツ再生装置に関する。
【０００２】
【従来の技術】
従来のこの種のディスク装置では、ディスクに信号を記録する場合やディスクから信号を再生する場合には、光ピックアップからレーザ光がディスクの記録面に照射される。ディスクに信号を記録する場合には、一旦バッファメモリに信号が蓄積され、たとえば、３２セクタ×６４に相当する一定量の信号（データ）単位でディスクに記録される。一方、ディスクから信号を再生する場合には、ディスクから読み出された信号が一旦バッファメモリに蓄積され、その後、所定の再生処理が施される。
【０００３】
【発明が解決しようとする課題】
しかし、この従来技術では、記録時には、一定量の信号毎に記録するようにしているため、バッファメモリに一定量の信号が蓄積されていない場合には、実質的には信号をディスクに書き込んでいない状態となる。また、再生時には、バッファメモリに記録時とは異なる一定量以上の信号が蓄積されている場合には、オーバフローによるバッファメモリの破綻を避けるため、実質的にはディスクから信号を読み出していない状態となる。このような状態では、いずれの場合にも光ピックアップは待機状態となり、同じトラックを継続的にトレースすることになる。つまり、レーザ光が同じ位置に照射され続けることになり、これによって、ディスクに記録されている信号（記録信号）が劣化してしまうという問題があった。
【０００４】
それゆえに、この発明の主たる目的は、レーザ光の照射による信号劣化を防止できる、コンテンツ記録装置およびコンテンツ再生装置を提供することである。
【０００５】
【課題を解決するための手段】
第１の発明は、マルチタスクＯＳを搭載したプロセサを備え、バッファメモリに連続的に取り込まれるコンテンツをレーザ光を用いてディスク記録媒体に間欠的に記録するコンテンツ記録装置において、プロセサは、バッファメモリに格納されたコンテンツのデータ量に応じて退避命令を発生する第１タスク、および退避命令に応答してレーザ光の照射先を退避エリアに退避させる第２タスクを並行して実行することを特徴とする、コンテンツ記録装置である。
【０００６】
第２の発明は、マルチタスクＯＳを搭載したプロセサを備え、レーザ光を用いてディスク記録媒体から間欠的に再生されたコンテンツをバッファメモリを介して連続的に出力するコンテンツ再生装置において、プロセサは、バッファメモリに格納されたコンテンツのデータ量に応じて退避命令を発生する第１タスク、および退避命令に応答してレーザ光の照射先を退避エリアに退避させる第２タスクを並行して実行することを特徴とする、コンテンツ再生装置である。
【０００７】
【作用】
コンテンツ記録装置は、連続的にバッファメモリに入力される画像や音声（音楽）などの所望のコンテンツに対応する信号（データ）を間欠的にディスク記録媒体に記録するものである。このコンテンツ記録装置は、マルチタスクＯＳを搭載したＣＰＵのようなプロセサを備えており、このプロセサは、バッファメモリに格納されたコンテンツのデータ量に応じて退避命令を発生する第１タスクおよびその退避命令に応答してレーザ光の照射先を退避エリアに退避させる第２タスクを並行して実行する。つまり、光ピックアップをテストエリアのような退避エリアに退避（移動）させる。
【０００８】
たとえば、第１タスクは、データ量が閾値（一定量）を上回れば、記録命令を発生する記録命令発生処理を実行し、逆に一定量以下のとき退避命令を発生する退避命令発生処理を実行するので、コンテンツのデータ量に応じて退避命令を発生できる。また、第２タスクは、記録命令が発生したときにはバッファメモリに格納されたコンテンツをディスク記録媒体に記録する記録処理を実行し、一方、退避命令が発生したときにはレーザ光の照射先を退避させる退避処理を実行するので、退避命令に応答して光ピックアップをテストエリアに退避させることができる。
【０００９】
また、ディスク記録媒体は、トラックが形成された、かつレーザ光が照射される記録面を有しおり、発生手段は退避命令に関係なくレーザ光を出力し続け、また、トラッキング制御手段はレーザ光のトラッキングを制御する。つまり、退避した場合であっても、光ピックアップはテストエリア内のトラック（テストトラック）をトレースするので、現在位置を認識でき、次の記録命令に対して遅滞なく応答することができる。
【００１０】
コンテンツ再生装置は、レーザ光を用いてディスク記録媒体から間欠的に再生された画像や音声（音楽）などの所望のコンテンツに対応する信号（データ）をバッファメモリを介して連続的に出力するものである。このコンテンツ再生装置は、マルチタスクＯＳを搭載したＣＰＵのようなプロセサを備えており、このプロセサは、バッファメモリに格納されたコンテンツのデータ量に応じて退避命令を発生する第１タスクおよびその退避命令に応答してレーザ光の照射先を退避エリアに退避させる第２タスクを並行して実行する。つまり、光ピックアップをテストエリアのような退避エリアに退避（移動）させる。
【００１１】
たとえば、第１タスクは、データ量が閾値（一定量）を下回れば、再生命令を発生する再生命令発生処理を実行し、逆に一定量以上のとき退避命令を発生する退避命令発生処理を実行するので、コンテンツのデータ量に応じて退避命令を発生できる。また、第２タスクは、再生命令が発生したときにはディスク記録媒体からコンテンツを再生する再生処理を実行し、一方、退避命令が発生したときにはレーザ光の照射先を退避させる退避処理を実行するので、退避命令に応答して光ピックアップをテストエリアに退避させることができる。
【００１２】
また、ディスク記録媒体は、トラックが形成された、かつレーザ光が照射される記録面を有しおり、発生手段は退避命令に関係なくレーザ光を出力し続け、また、トラッキング制御手段はレーザ光のトラッキングを制御する。つまり、退避した場合であっても、光ピックアップはテストエリア内のトラック（テストトラック）をトレースするので、現在位置を認識でき、次の再生命令に対して遅滞なく応答することができる。
【００１３】
【発明の効果】
これらの発明によれば、記録時または再生時において実際にディスク記録媒体に信号を書き込んだりディスクから信号を読み出したりしていない場合には、レーザ光の照射先を退避エリアに退避させるので、レーザ光の照射による信号の劣化を防止することができる。
【００１４】
この発明の上述の目的，その他の目的，特徴および利点は、図面を参照して行う以下の実施例の詳細な説明から一層明らかとなろう。
【００１５】
【実施例】
図１を参照して、この実施例のカメラシステム（以下、単に「システム」という。）１０は、ディスク装置１２およびディジタルカメラ１４を含む。ディスク装置１２は、光ピックアップ１６を含み、光ピックアップ１６には対物レンズ１６ａが設けられる。対物レンズ１６ａは図示しないトラッキングアクチュエータおよびフォーカスアクチュエータによって支持される。
【００１６】
また、図示は省略するが、光ピックアップ１６はラックピニオン或いはボールねじ機構（リードスクリュ）によってスレッドモータ１８に連結される。したがって、スレッドモータ１８が回転することにより、光ピックアップ１６はディスク２０の径（スレッド）方向に変移（移動）される。
【００１７】
ディスク２０は、たとえば、ＡＳ−ＭＯ(Advanced Storage Magneto Optical)のような光磁気ディスクであり、図示しないスピンドル上に載置され、スピンドルモータ２２によって回転される。また、ディスク２０は、ＺＣＬＶ(Zone Constant Linear Velocity) 方式のディスクであり、回転数は光ピックアップ１６がディスク２０の内周から外周に移動するにつれて低下する。光ピックアップ１６に設けられたレーザダイオード（ＬＤ）１６ｂから出力されたレーザ光が対物レンズ１６ａで収束されて、ディスク２０の記録面に照射される。これにより、所望の信号がディスク２０の記録面に記録され、或いは、ディスク２０に記録されている信号（記録信号）が読み出される。
【００１８】
記録面からの反射光は、同じ対物レンズ１６ａを通過してフォトディテクタ（光検出器）１６ｃに照射される。光検出器１６ｃの出力は、フォーカスエラー（ＦＥ）信号検出回路２４およびトラッキングエラー（ＴＥ）信号検出回路２６に入力され、ＦＥ信号およびＴＥ信号がそれぞれで検出される。検出されたＦＥ信号およびＴＥ信号は、図示しないＡ／Ｄ変換器を介してＤＳＰ２８にそれぞれ与えられる。
【００１９】
ＤＳＰ２８は、ＦＥ信号に基づいてフォーカスサーボ処理を実行し、ＴＥ信号に基づいてトラッキングサーボ処理およびスレッドサーボ処理を実行する。フォーカスサーボ処理によってフォーカスアクチュエータ制御電圧が生成され、フォーカスアクチュエータ制御電圧はＤ／Ａ変換器（ドライバ）３４を介してフォーカスアクチュエータに出力される。また、トラッキングサーボ処理によってトラッキングアクチュエータ制御電圧が生成され、トラッキングアクチュエータ制御電圧はＤ／Ａ変換器（ドライバ）３６を介してトラッキングアクチュエータに出力される。対物レンズ１６ａの光軸方向の位置はフォーカスアクチュエータ制御電圧によって制御され、対物レンズ１６ａのディスク２０のスレッド方向についての位置はトラッキングアクチュエータ制御電圧によって制御される。ＤＳＰ２８はさらに、スレッドサーボ処理によってスレッド制御電圧を生成し、スレッド制御電圧はＤ／Ａ変換器（ドライバ）３８を介してスレッドモータ１８に出力される。
【００２０】
記録時には、ＣＰＵ３０は書き込み（ＷＲＩＴＥ）コマンドをＤＳＰ２８に出力するとともに、バッファメモリ３２内の信号を読み出し、エンコーダ（ＥＣＣエンコーダ）４０に与える。たとえば、この実施例のＣＰＵ３０は、μＩＴＲＯＮと呼ばれるプロセサ（ＣＰＵ）であって、マルチタスクＯＳを搭載したものである。ＤＳＰ２８は、ＷＲＩＴＥコマンドを受信すると、光ピックアップ１６のレーザドライブ（図示せず）を駆動する。すると、ＬＤ１６ｂからパルス変調されたレーザ光が出力される。また、ＤＳＰ２８は、エンコードされた信号を読み出し、ヘッドドライバ４２を駆動する。したがって、ディスク２０を挟んで光ピックアップ１６に対向して変移可能に設けられる磁気ヘッド４４が駆動され、信号に応じた磁界がディスク２０に与えられる。これにより、信号（記録信号）がディスク２０に記録される。
【００２１】
一方、再生時には、ＣＰＵ３０は読み出し（ＲＥＡＤ）コマンドをＤＳＰ２８に出力する。ＤＳＰ２８は、ＲＥＡＤコマンドを受信すると、これに応じてレーザドライブを駆動する。したがって、高周波の重畳されたレーザ光がＬＤ１６ｂから放出され、ディスク２０の記録面から記録信号が読み出される。読み出された記録信号は、ＲＦアンプ４６で増幅され、デコーダ（ＥＣＣデコーダ）４８でデコードされた後、バッファメモリ３２に一旦書き込まれる。そして、出力端子Ｐを介して図示しない再生系で所定の再生処理が施された後、出力される。
【００２２】
また、ディジタルカメラ１４はフォーカスレンズ５０を含み、フォーカスレンズ５０を経た被写体の光像はＣＣＤイメージャ５２の受光面に入射される。受光面では、入射された光像に対応するカメラ信号（映像信号）が光電変換によって生成される。
【００２３】
ＣＣＤイメージャ５２は、ＣＰＵ３０の指示の下、タイミングジェネレータ（ＴＧ）５４によって読み出し制御される。つまり、ＴＧ５４は、ＣＰＵ３０から処理命令が与えられたとき、ＣＣＤイメージャ５２から所定フレームレートでカメラ信号を繰り返し読み出す。読み出されたカメラ信号は、ＣＤＳ／ＡＧＣ回路５６において周知のノイズ除去およびレベル調整を経て、Ａ／Ｄ変換器５８でディジタル信号に変換される。
【００２４】
また、ディジタルカメラ１４はマイク６２を含み、信号処理回路６４はＣＰＵから処理命令が与えられたとき、マイク６２から音声信号を取得する。取得された音声信号は周知の信号処理を経て、Ａ／Ｄ変換器６６でディジタル信号に変換される。
【００２５】
Ａ／Ｄ変換器５８およびＡ／Ｄ変換器６６でディジタル信号に変換されたカメラ信号および音声信号は信号処理回路６０にそれぞれ入力される。入力されたカメラ信号および音声信号は、所定の信号処理を経てバッファメモリ３２に書き込まれる。このように、バッファメモリ３２に蓄積されたカメラ信号および音声信号の少なくとも一方が記録信号として、上述したように、ＣＰＵ３０の指示の下、ＤＳＰ２８によってディスク２０に記録される。
【００２６】
ＣＰＵ３０は、ディジタルカメラ１４に設けられたシャッタボタン６８からのシャッタ信号を受けて、ＴＧ５４および信号処理回路６４に処理命令を与える。また、ＣＰＵ３０は、モード切換ボタン７０の操作によって、記録（撮影）／再生モードなどを判断する。
【００２７】
上述したように、記録信号の記録／再生時（モード）では、光ピックアップ１６からレーザ光がディスク２０の記録面に照射される。しかし、記録／再生時であっても、実際に記録信号をディスク２０に書き込んでいない状態や記録信号をディスク２０から読み出していない状態では、光ピックアップ１６はスレッド方向への移動がなく、同じ位置で待機することになる。
【００２８】
たとえば、この実施例のディスク装置１２では、記録時には、バッファメモリ３２に蓄積された信号を一定量（たとえば、３２セクタ×６４に相当する量）単位で間欠的にディスク２０に書き込むため、バッファメモリ３２に一定量の信号が蓄積されていない場合には、その一定量の信号が蓄積されるのを待機する必要があり、この状態が記録信号をディスク２０に書き込んでいない状態である。
【００２９】
また、再生時には、ディスク２０から読み出した信号を一旦バッファメモリ３２に書き込んでから再生処理を施すため、オーバフローにより、バファメモリ３２が破綻してしまうのを回避する必要がある。したがって、予め試験等により決定した所定のデータ量以上になった場合には、そのデータ量が或る程度減少するのを待機する必要があり、この状態がディスク２０から記録信号を読み出していない状態である。
【００３０】
さらに、この実施例では、記録時／再生時において、マルチタスクＯＳからＣＰＵ３０に制御コマンドが与えられない状態が所定時間（たとえば、１秒）経過した場合にも記録信号をディスク２０に書き込んでいない状態或いはディスク２０から記録信号を読み出していない状態としている。
【００３１】
このような（待機）状態では、ディスク２０の記録面の同じ位置（トラック）を継続的にレーザ光が照射することとなり、記録信号の劣化を招くおそれがある。
【００３２】
これを回避するため、レーザ（ＬＤ１６ｂ）をオフしたり、光ピックアップ１６をディスク２０の内周および外周に交互に移動させたり（ウォブリング）することにより、同じ位置にレーザ光が入射されないようにすることが考えられる。
【００３３】
しかし、前者の場合には、一旦レーザをオフすると、記録信号の読み出しや書き込みの命令があったときに、再度レーザを起動し、フォーカスサーボおよびトラッキングサーボをオンし、現在位置を認識してから読み出し位置／書き込み位置をシークする必要があり、記録／再生に時間がかかってしまうという問題がある。
【００３４】
また、後者の場合にも、記録信号の読み出しや書き込みの命令があると、現在位置を認識してから読み出し位置／書き込み位置をシークする必要があり、同様に、時間がかかってしまうという問題がある。
【００３５】
そこで、この実施例では、記録／再生時であっても、実際に記録信号をディスク２０に書き込んでいない状態や記録信号をディスク２０から読み出していない状態では、現在位置から一番近くに存在するテストエリアに光ピックアップ１６を退避するようにしてある。
【００３６】
図２に示すように、たとえば、ＩＳＯ／ＩＥＣ１５０４１に従ったディスク２０の一部を拡大すると、ユーザの所望の信号（データ）を記録するためのデータの領域（データエリア）を挟むように、すなわちデータエリアの内周側と外周側とにバッファトラックの領域（バッファエリア）がそれぞれ設けられ、データエリアと外周側のバッファエリアとの間にテストトラックの領域（テストエリア）が設けられる。このような構成で、データエリア、バッファエリアおよびテストエリアがディスク２０の最内周から最外周に渡って複数設けられる。
【００３７】
ここで、テストトラックは、通常、ディスク装置１０（セット）が試し書きをして、レーザパワーを決定するために用いるトラックである。つまり、テストトラックには、記録信号が記録されることはない。このため、この実施例では、上述したような所定の状態では、テストトラック（テストエリア）に光ピックアップ１６を退避させるようにしてある。すなわち、レーザ光の照射先をテストエリアのような退避エリアに退避させるようにしてある。
【００３８】
具体的には、ＣＰＵ３０が図３および図４に示すフロー図を処理するとともに、図５および図６に示すフロー図を処理する。つまり、ＣＰＵ３０は、異なる２つのタスクを並行に処理している。
【００３９】
なお、この実施例では、説明の便宜上、図３および図４に示すＣＰＵ３０の処理をタスク１ということもあり、図５および図６に示すＣＰＵ３０の処理をタスク２ということもある。
【００４０】
図３を参照して、ＣＰＵ３０は、ステップＳ１でマルチタスクＯＳ（アプリケーション）からのコマンドを受信したかどうかを判断する。ステップＳ１で“ＹＥＳ”であれば、つまりコマンドを受信すれば、ステップＳ３でコマンドが“ＲＥＡＤ”かどうかを判断する。
【００４１】
ステップＳ３で“ＮＯ”であれば、つまりコマンドが“ＲＥＡＤ”でなければ、ステップＳ１５に進む。一方、ステップＳ３で“ＹＥＳ”であれば、つまりコマンドが“ＲＥＡＤ”であれば、ステップＳ７でバッファメモリ３２に該当データ（所定のデータ量の記録信号）が無いかどうかを判断する。
【００４２】
ステップＳ７で“ＹＥＳ”であれば、つまりバッファメモリ３２に再生すべき記録信号が無ければ、ステップＳ９でタスク２にＲＥＡＤ命令（“ＲＥＡＤ”コマンド）を送信して、ステップＳ１３に進む。
【００４３】
一方、ステップＳ７で“ＮＯ”であれば、つまりバッファメモリ３２に所定のデータ量以上の記録信号が有れば、記録信号の読み出し中でないと判断して、ステップＳ１１でタスク２に退避命令を送信して、ステップＳ１３に進む。ステップＳ１３では、ＣＰＵ３０内部に設けられるタイマ（図示せず）をクリアする。そして、ステップＳ１に戻る。
【００４４】
また、ステップＳ１５では、コマンドが“ＷＲＩＴＥ”かどうかを判断する。ステップＳ１５で“ＹＥＳ”であれば、つまりコマンドが“ＷＲＩＴＥ”であれば、ステップＳ１７でバッファメモリ３２に少なくとも一定量のデータ（記録信号）が有るかどうかを判断する。ステップＳ１７で“ＹＥＳ”であれば、つまりバッファメモリ３２に少なくとも一定量の記録信号が有れば、ステップＳ１９でタスク２にＷＲＩＴＥ命令（“ＷＲＩＴＥ”コマンド）を送信してステップＳ１３に進む。一方、ステップＳ１７で“ＮＯ”であれば、つまりバッファメモリ３２に一定量の記録信号が無ければ、記録信号の書き込み中でないと判断して、ステップＳ２１でタスク２に退避命令を送信してからステップＳ１３に進む。
【００４５】
また、ステップＳ１で“ＮＯ”であれば、つまりアプリケーションからコマンドを受信しなければ、図４に示すステップＳ２３に進む。同様に、ステップＳ１５で“ＮＯ”であれば、つまりコマンドが“ＷＲＩＴＥ”でなければ、ステップＳ２３に進む。
【００４６】
図４に示すステップＳ２３では、ＣＰＵ３０内部のタイマがスタートかどうかを判断する。ステップＳ２３で“ＮＯ”であれば、つまりタイマがスタートしていなければ、ステップＳ２５でタイマをスタートしてからステップＳ２７に進む。
【００４７】
一方、ステップＳ２３で“ＹＥＳ”であれば、つまりタイマがスタートしていれば、そのままステップＳ２７に進む。ステップＳ２７では、１秒経過したかどうかを判断する。つまり、コマンドを受信しない時間が１秒を超えたかどうかを判断する。ステップＳ２７で“ＮＯ”であれば、つまり１秒経過していなければ、そのままステップＳ１に戻る。しかし、１秒経過すれば、つまりステップＳ２７で“ＹＥＳ”であれば、記録信号の書き込み中或いは読み出し中でないと判断して、ステップＳ２９でタスク２に退避命令を送信して図３に示したステップＳ１３に進み、タイマをクリアしてからステップＳ１に戻る。
【００４８】
図５を参照して、ＣＰＵ３０は、ステップＳ４１でタスク１からのコマンドを受信したかどうかを判断する。ステップＳ４１で“ＮＯ”であれば、つまりコマンドを受信していなければ、同じステップＳ４１に戻って、コマンドがあるのを待機する。
【００４９】
一方、ステップＳ４１で“ＹＥＳ”であれば、つまりコマンドを受信すれば、ステップＳ４３でコマンドが“起動”かどうかを判断する。ステップＳ４３で“ＹＥＳ”であれば、つまりコマンドが“起動”であれば、ステップＳ４５で各コンポーネントの起動（オン）をＤＳＰ２８に指示してからステップＳ４１に戻る。具体的には、ＤＳＰ２８は、スピンドルモータ２２をオンし、レーザ（ＬＤ１６ｂ）をオンし、フォーカスオンし、トラックオンし、そして、スレッドモータ１８をオンする。
【００５０】
ステップＳ４３で“ＮＯ”であれば、つまりコマンドが“起動”でなければ、ステップＳ４７でコマンドが“停止”かどうかを判断する。ステップＳ４７で“ＹＥＳ”であれば、つまりコマンドが“停止”であれば、ステップＳ４９で各コンポーネントの停止（オフ）をＤＳＰ２８に指示してからステップＳ４１に戻る。つまり、ＤＳＰ２８は、スレッドモータ１８をオフし、トラックオフし、フォーカスオフし、ＬＤ１６ｂをオフし、そして、スピンドルモータ１８をオフする。
【００５１】
一方、ステップＳ４７で“ＮＯ”であれば、つまりコマンドが“停止”でなければ、ステップＳ５１でコマンドが“一時停止”かどうかを判断する。ステップＳ５１で“ＮＯ”であれば、つまりコマンドが“一時停止”でなければ、図６に示すステップＳ５５に進む。しかし、ステップＳ５１で“ＹＥＳ”であれば、つまりコマンドが“一時停止”であれば、ステップＳ５３で現在位置（現在アドレス）での待機をＤＳＰ２８に指示し、ステップＳ４１に戻る。つまり、ＤＳＰ２８は、光ピックアップ１６がディスク２０のトラックを追従しないように制御し、現在位置で停止させる。そして、ＣＰＵ３０から他の指示があるのを待機する。
【００５２】
図６に示すステップＳ５５では、コマンドが“ＲＥＡＤ”かどうかを判断する。ステップＳ５５で“ＮＯ”であれば、つまりコマンドが“ＲＥＡＤ”でなければ、ステップＳ６３に進む。一方、ステップ５５で“ＹＥＳ”であれば、つまりコマンドが“ＲＥＡＤ”であれば、ステップＳ５７で現在アドレスを確認する。続くステップＳ５９でＲＥＡＤコマンドに対応する読み出し位置のシーク（検索）をＤＳＰ２８に指示し、ステップＳ６１で読み出しを実行してから図５に示したステップＳ４１に戻る。
【００５３】
ステップＳ６３では、コマンドが“ＷＲＩＴＥ”かどうかを判断する。ステップＳ６３で“ＮＯ”であれば、つまりコマンドが“ＷＲＩＴＥ”でなければ、ステップＳ７１に進む。一方、ステップＳ６３で“ＹＥＳ”であれば、ステップＳ６５で現在アドレスを確認し、ステップＳ６７でＷＲＩＴＥコマンドに対応する書き込み位置のシークをＤＳＰ２８に指示し、ステップＳ６９で書き込みを実行してからステップＳ４１に戻る。
【００５４】
ステップＳ７１では、コマンドが“退避”かどうかを判断する。ステップＳ７１で“ＮＯ”であれば、つまりコマンドが“退避”でなければ、コマンド受信を誤ったと判断し、そのままステップＳ４１に戻る。一方、ステップＳ７１で“ＹＥＳ”であれば、つまりコマンドが“退避”であれば、ステップＳ７３で現在アドレスを確認してからステップＳ７５で現在アドレスに一番近いテストトラック（テストエリア）を決定する。そして、ステップＳ７７では、決定したテストトラックのシークをＤＳＰ２８に指示し、ステップＳ７９でシークした現在アドレスでの待機をＤＳＰ２８に指示し、ステップＳ４１に戻る。つまり、光ピックアップ１６は、テストエリアに退避され、そのエリア中のテストトラックをトレースする。
【００５５】
この実施例によれば、実際に信号を読み出したり書き込んだりしていない場合には、光ピックアップをテストエリアに退避させるので、必要以上にレーザ光がデータエリアを照射することはない。したがって、レーザ光の照射によるデータ劣化を可及的に防止することができる。
【００５６】
なお、この実施例では、データ（信号）を記録／再生可能なディスク装置について説明したが、ディスク装置は再生専用または記録専用のものであってもよい。つまり、レーザ光の照射による記録信号の劣化を防止できればよい。
【００５７】
また、この実施例では、ディジタルカメラのような撮像装置から映像および音声のようなコンテンツに対応する信号を入力するようにしたが、撮像装置に限定される必要はなく、そのようなコンテンツをバッファメモリに連続的に与えられるメディアであれば任意の装置を接続したシステムを構成することができる。
【図面の簡単な説明】
【図１】この発明の一実施例を示す図解図である。
【図２】図１実施例に示すディスクのデータ領域を説明するための図解図である。
【図３】図１に示すＣＰＵの処理の一部を示すフロー図である。
【図４】図１に示すＣＰＵの処理の他の一部を示すフロー図である。
【図５】図１に示すＣＰＵの処理のその他の一部を示すフロー図である。
【図６】図１に示すＣＰＵの処理のさらに他の一部を示すフロー図である。
【符号の説明】
１０  …カメラシステム
１２  …ディスク装置
１４  …ディジタルカメラ
１６  …光ピックアップ
２０  …ディスク
２８  …ＤＳＰ
３０  …ＣＰＵ
３２  …バッファメモリ
４０  …エンコーダ
４４  …磁気ヘッド
４８  …デコーダ
５２  …ＣＣＤイメージャ
６０，６４  …信号処理回路
６２  …マイク
【図１】
0004118057.tif 000002
【図２】
0004118057.tif 000003
【図３】
0004118057.tif 000004
【図４】
0004118057.tif 000005
【図５】
0004118057.tif 000006
【図６】
0004118057.tif 000007